(57)【要約】【課題】赤外線やネットワークによる通信が不可能な場合でも、チャンネル情報を引き継ぐことができるようにする。【解決手段】コンピュータは、デジタル放送の放送信号を選択して受信する受信手段と、受信手段が放送信号を受信する受信チャンネルを特定するためのチャンネル情報を記憶するチャンネル情報記憶手段と、受信手段が放送信号の受信を終了するときに選択していた受信チャンネルを特定するための最終チャンネル情報をチャンネル情報記憶手段に記憶させる記憶制御手段とを有する。【選択図】図３
2009232401.tif 000002
【特許請求の範囲】
【請求項１】
デジタル放送の放送信号を選択して受信する受信手段と、
該受信手段が前記放送信号を受信する受信チャンネルを特定するためのチャンネル情報を記憶するチャンネル情報記憶手段と、
前記受信手段が前記放送信号の受信を終了するときに選択していた前記受信チャンネルを特定するための最終チャンネル情報を前記チャンネル情報記憶手段に記憶させる記憶制御手段とを有することを特徴とする放送受信装置。
【請求項２】
汎用バスを介してデータ通信を行う通信手段を更に有し、
前記記憶制御手段は、前記通信手段が受信したチャンネル情報記憶要求にしたがい前記最終チャンネル情報を前記チャンネル情報記憶手段に記憶させることを特徴とする請求項１記載の放送受信装置。
【請求項３】
汎用バスを介してデータ通信を行う通信手段を更に有し、
前記記憶制御手段は、前記通信手段が受信したチャンネル情報を前記最終チャンネル情報として前記チャンネル情報記憶手段に記憶させることを特徴とする請求項１記載の放送受信装置。
【請求項４】
汎用バスを介して情報処理装置に接続されたときに、前記チャンネル情報記憶手段に記憶されている前記最終チャンネル情報にしたがい前記受信手段の受信周波数、ＰＩＤその他の放送信号選択情報を設定する選択情報設定手段を更に有することを特徴とする請求項１記載の放送受信装置。
【請求項５】
前記情報処理装置が起動されたときに、前記通信手段が前記チャンネル情報記憶手段に記憶されている前記最終チャンネル情報を前記情報処理装置に送信するように制御する送信制御手段を更に有することを特徴とする請求項４記載の放送受信装置。
【請求項６】
前記記憶制御手段は、前記放送信号から得られる番組データの記録に先立ち予め設定されたチャンネル番号、録画開始日時および録画終了日時を含み、前記通信手段が受信した録画予約情報を前記チャンネル情報記憶手段に記憶させることを特徴とする請求項５記載の放送受信装置。
【請求項７】
前記送信制御手段は、前記通信手段が前記チャンネル情報記憶手段に記憶されている前記録画予約情報を前記最終チャンネル情報とともに前記情報処理装置に送信するように制御することを特徴とする請求項６記載の放送受信装置。
【請求項８】
前記放送信号から得られる番組データを暗号化する暗号化手段を更に有することを特徴とする請求項１記載の放送受信装置。
【請求項９】
放送受信装置が組み込まれている情報処理装置であって、
前記放送受信装置は、デジタル放送の放送信号を選択して受信する受信手段と、
該受信手段が前記放送信号を受信する受信チャンネルを特定するためのチャンネル情報を記憶するチャンネル情報記憶手段と、
前記受信手段が前記放送信号の受信を終了するときに選択していた前記受信チャンネルを特定するための最終チャンネル情報を前記チャンネル情報記憶手段に記憶させる記憶制御手段とを有することを特徴とする情報処理装置。
【請求項１０】
前記最終チャンネル情報を記憶させるためのチャンネル情報記憶要求を前記放送受信装置に出力する記憶要求出力手段を更に有することを特徴とする請求項９記載の情報処理装置。
【発明の詳細な説明】
【技術分野】
【０００１】
本発明は、デジタル放送の放送信号を受信する放送受信装置およびそれを備えた情報処理装置に関する。
【背景技術】
【０００２】
従来、デジタル放送の放送信号を受信する放送受信装置が知られている。従来の放送受信装置は、情報処理装置に汎用バスを介して外付けの状態で接続されたり、情報処理装置に組み込まれたりしているが、情報処理装置や放送受信装置は、近年、携帯型の装置が普及している（携帯型の放送受信装置に関しては例えば、特許文献１参照）。
【特許文献１】特開２００４−２２８６３９号公報
【発明の開示】
【発明が解決しようとする課題】
【０００３】
前述の特許文献１に開示されている携帯型の放送受信装置では、複数の装置いずれか一つで視聴していた番組を別の装置でも途切れることなく視聴できる。
【０００４】
しかし、この放送受信装置では、２つの装置間でチャンネル情報を引き継ぐのに赤外線を介してデータ伝送を行っている。そのため、従来の放送受信装置では、赤外線で通信可能な範囲内でしかチャンネル情報を引き継ぐことができないので、例えば、外付けの放送受信装置を情報処理装置から取り外して屋外に持ち出し別の情報処理装置に接続するといった場合にはチャンネル情報を引き継ぐことができない。
【０００５】
そこで、本発明は、赤外線やネットワークによる通信が不可能な場合でも、チャンネル情報を引き継ぐことができるようにした放送受信装置及び情報処理装置を提供することを目的とする。
【課題を解決するための手段】
【０００６】
上記課題を解決するため、本発明は、デジタル放送の放送信号を選択して受信する受信手段と、その受信手段が放送信号を受信する受信チャンネルを特定するためのチャンネル情報を記憶するチャンネル情報記憶手段と、受信手段が放送信号の受信を終了するときに選択していた受信チャンネルを特定するための最終チャンネル情報をチャンネル情報記憶手段に記憶させる記憶制御手段とを有する放送受信装置を特徴とする。
【０００７】
また、本発明は、放送受信装置が組み込まれている情報処理装置であって、放送受信装置は、デジタル放送の放送信号を選択して受信する受信手段と、その受信手段が放送信号を受信する受信チャンネルを特定するためのチャンネル情報を記憶するチャンネル情報記憶手段と、受信手段が放送信号の受信を終了するときに選択していた受信チャンネルを特定するための最終チャンネル情報をチャンネル情報記憶手段に記憶させる記憶制御手段とを有する情報処理装置を提供する。
【発明の効果】
【０００８】
本発明によれば、赤外線やネットワークによる通信が不可能な場合でも、チャンネル情報を引き継ぐことができるようにした放送受信装置及び情報処理装置が得られる。
【発明を実施するための最良の形態】
【０００９】
以下、図面を参照しつつ本発明に係る放送受信装置及び情報処理装置の好適な実施の形態について詳細に説明する。
【００１０】
まず、図１を参照して、本発明の実施の形態に係る情報処理装置の構成について説明する。本実施の形態において情報処理装置は、携帯可能なノートブック型のパーソナルコンピュータ１０として実現されている。
【００１１】
（第１の実施の形態）
図１はパーソナルコンピュータ１０のディスプレイユニットを開いたときの外観の構成を示す斜視図である。コンピュータ１０は、コンピュータ本体１１と、ディスプレイユニット１２とを有している。ディスプレイユニット１２には、ＴＦＴ−ＬＣＤ（Thin  Film  Transistor  Liquid  Crystal  Display）１７から構成される表示装置が組み込まれており、そのＬＣＤ１７の表示画面はディスプレイユニット１２のほぼ中央に位置している。
【００１２】
ディスプレイユニット１２は、コンピュータ本体１１に対して開放位置と閉塞位置との間を回動自在に取り付けられている。コンピュータ本体１１は薄い箱形の筐体を有し、その上面に、キーボード１３、コンピュータ１０をパワーオン／パワーオフするためのパワーボタン１４、入力操作パネル１５、タッチパッド１６およびスピーカ１８Ａ，１８Ｂなどが配置されている。
【００１３】
入力操作パネル１５は、押下されたボタンに対応するイベントを入力する入力装置であり、複数の機能のそれぞれを起動するためのボタンを複数備えている。これらボタンには、ＴＶ起動ボタン１５ＡやＤＶＤ／ＣＤ起動ボタン１５Ｂが含まれている。ＴＶ起動ボタン１５Ａは、ＴＶ放送の受信や番組データの記録を行うためのＴＶ機能を起動するためのボタンである。ＴＶ起動ボタン１５Ａが押下されると、ＴＶ機能を実行するためのＴＶアプリケーション１６２が起動される。
【００１４】
コンピュータ１０は、汎用の主オペレーティングシステムの他に、ＡＶ（オーディオ・ビデオ）データを処理するための専用の副オペレーティングシステムがインストールされている。ＴＶアプリケーション１６２は、副オペレーティングシステム上で作動するプログラムである。ＴＶアプリケーション１６２は、放送受信装置１３０から転送された後述の番組データ（トランスポートストリーム）を受信して、それを復号化した後、ＬＣＤ１７に表示させたり、又は再びローカル暗号化した後、ＨＤＤ１１０に記憶させるための制御などを行う。また、ＴＶアプリケーション１６２は、ＬＣＤ１７にＧＵＩ（Graphical  User  Interface）を表示させて、番組の選択、動作の終了等の操作要求を受け付け、録画予約情報を生成する機能を有している。
【００１５】
コンピュータ１０では、パワーボタン１４が押下されたときに主オペレーティングシステムが起動される。一方、ＴＶ起動ボタン１５Ａが押下されたときは、副オペレーティングシステムが起動され、ＴＶアプリケーション１６２が実行される。副オペレーティングシステムはＡＶ機能を実行するための最小限の機能のみを有している。そのため、副オペレーティングシステムのブートアップに要する時間は、主オペレーティングシステムのブートアップに要する時間に比べて遙かに短い。よって、ユーザは、ＴＶ起動ボタン１５Ａを押すだけで、ＴＶ放送の番組の視聴や番組データの記録（録画）を即座に行うことが出来る。
【００１６】
コンピュータ１０は、後述する放送受信装置１３０を用いて地上デジタル放送の放送信号を受信して、地上デジタル放送の番組を視聴することができる。
【００１７】
ＤＶＤ／ＣＤ起動ボタン１５Ｂは、ＤＶＤまたはＣＤに記録されたビデオコンテンツを再生するためのボタンである。ＤＶＤ／ＣＤ起動ボタン１５Ｂが押下されたとき、ビデオコンテンツを再生するためのビデオ再生アプリケーションが起動される。このビデオ再生アプリケーションも、副オペレーティングシステム上で作動するアプリケーションプログラムである。ＤＶＤ／ＣＤ起動ボタン１５Ｂが押下されたときは、副オペレーティングシステムが起動され、ビデオ再生アプリケーションが実行される。
【００１８】
次に、図２を参照して、コンピュータ１０のシステム構成について説明する。コンピュータ１０は、図２に示されているように、ＣＰＵ１０１、ノースブリッジ（ＮＢ）１０２、システムメモリ１０３、サウスブリッジ（ＳＢ）１０４、グラフィクスコントローラ１０５、サウンドコントローラ１０６、ビデオエンハンサ１０７、ＢＩＯＳ−ＲＯＭ１０８、ＬＡＮコントローラ１０９を有している。また、コンピュータ１０は、ハードディスクドライブ（ＨＤＤ）１１０、ＤＶＤドライブ（ＤＶＤ）１１１、カードコントローラ１１２、無線ＬＡＮコントローラ１１３、IEEE  1394コントローラ１１４、エンベデッドコントローラ（ＥＣ）１１５、ＵＳＢ（Universal  Serial  Bus）コネクタ１１６を備えている。
【００１９】
ＣＰＵ１０１はコンピュータ１０の動作を制御するプロセッサであり、ＨＤＤ１１０からシステムメモリ１０３にロードされる、主オペレーティングシステム／副オペレーティングシステムを実行するとともに、ＴＶアプリケーション１６２やビデオ再生アプリケーションといった各種アプリケーションプログラムを実行する。また、ＣＰＵ１０１は、ＢＩＯＳ−ＲＯＭ１０８に格納されたシステムＢＩＯＳ（Basic  Input  Output  System）も実行する。システムＢＩＯＳはハードウェア制御のためのプログラムである。
【００２０】
ＮＢ１０２は、ＣＰＵ１０１のローカルバスとＳＢ１０４との間を接続するブリッジデバイスである。ＮＢ１０２には、システムメモリ１０３をアクセス制御するメモリコントローラも内蔵されている。また、ＮＢ１０２は、ＡＧＰ（Accelerated  Graphics  Port）バス、PCI  express規格のシリアルバスなどを介してグラフィクスコントローラ１０５との通信を実行する機能も有している。
【００２１】
グラフィクスコントローラ１０５は、コンピュータ１０のディスプレイモニタとして使用されるＬＣＤ１７を制御する表示コントローラである。このグラフィクスコントローラ１０５によって生成される映像データは、ビデオエンハンサ１０７に送られ、映像データを高画質化するための映像処理（画質調整処理）が施される。このビデオエンハンサ１０７によって高画質化された映像データは、ＬＣＤ１７に送られる。また、ビデオエンハンサ１０７によって高画質化された映像データは、コンピュータ本体１１に設けられたコネクタを介して外部のＴＶモニタやＨＤＭＩモニタに送出することもできる。
【００２２】
ＳＢ１０４は、ＬＰＣ（Low  Pin  Count）バス上の各デバイス、ＰＣＩ（Peripheral  Component  Interconnect）バスに接続されている各デバイス、及びＵＳＢバス１５２に接続されている各デバイスを制御する。また、ＳＢ１０４は、ＨＤＤ１１０、ＤＶＤドライブ１１１を制御するためのＩＤＥ（Integrated  Drive  Electronics）コントローラを内蔵している。さらに、ＳＢ１０４は、サウンドコントローラ１０６との通信を実行する機能も有している。
【００２３】
サウンドコントローラ１０６は音源デバイスであり、再生対象のオーディオデータをスピーカ１８Ａ，１８Ｂやコネクタを介して接続される外部の５．１チャンネルスピーカシステムに出力する。
【００２４】
カードコントローラ１１２は、ＰＣカード、ＳＤ（Secure  Digital）カードのようなカードとの通信を制御する。無線ＬＡＮコントローラ１１３は、例えばIEEE 802.11規格の無線通信を実行する無線通信デバイスである。IEEE1394コントローラ１１４は、IEEE1394規格のシリアルバスを介して外部機器との通信を実行する。ＥＣ１１５は、電力管理のためのエンベデッドコントローラと、キーボード１３およびタッチパッド１６を制御するためのキーボードコントローラとが集積された１チップマイクロコンピュータである。ＥＣ１１５は、ユーザによるパワーボタン１４の操作に応じて、コンピュータ１０をパワーオン／パワーオフする機能を有している。さらに、ＥＣ１１５は、ユーザによるＴＶ起動ボタン１５Ａ、ＤＶＤ／ＣＤ起動ボタン１５Ｂの操作に応じて、コンピュータ１０をパワーオンすることもできる。
【００２５】
ＵＳＢコネクタ１１６は、ＵＳＢ2.0に対応した汎用バスであるＵＳＢバス１５２に接続されている。ＵＳＢコネクタ１１６には、放送受信装置１３０が外付け状態で接続される。
【００２６】
放送受信装置１３０は、地上デジタルＴＶ放送のようなデジタル放送の番組を受信する受信手段（チューナ）を有している。地上デジタルＴＶ放送では、番組データ（ビデオ、オーディオ）に対する圧縮符号化方式として、１２セグメント放送ではＭＰＥＧ-２、ワンセグ放送では、Ｈ．２６４｜ＭＰＥＧ-４ＡＶＣが利用されている。また、ＭＰＥＧ-２の映像フォーマットとしては、高解像度のＨＤ（High  Definition）とＳＤ（Standard  Definition）が使用されている。
【００２７】
放送受信装置１３０は図３に示すように、デジタルチューナ１２０と、暗号化部１２１と、不揮発性メモリ１２２と、ホスト通信部１２３と、制御部１２４とを有している。放送受信装置１３０は暗号化部１２１により番組データを暗号化して、その番組データに関する著作権を保護する著作権保護装置としての機能を有している。また、放送受信装置１３０はコンピュータ１０に接続されて後述する受信装置コントローラ１６１から電源が供給されたときにだけ作動するようになっている。
【００２８】
デジタルチューナ１２０は図示しないアンテナから入力される放送信号の中から特定のチャンネルの放送信号を選択して受信し、その受信した放送信号から、番組データを構成するトランスポートストリーム（ＴＳ）を復調して出力する。トランスポートストリームは、圧縮符号化された放送コンテンツを多重化したストリームである。地上デジタルＴＶ放送では、チャンネル（物理チャンネル）毎に複数の番組が多重化されている。トランスポートストリームは、１８８バイトのパケットで構成される。デジタルチューナ１２０は、コンピュータ１０の起動時または受信装置コントローラ１６１からのチャンネル設定要求にしたがい受信周波数の設定を行う。
【００２９】
暗号化部１２１は、ＴＶアプリケーション１６２と共有する暗号鍵を用いて、復調されたトランスポートストリームのローカル暗号化を実行する。この場合、暗号化部１２１は、予め与えられた（例えば機種や製造メーカの識別子から構成されるデバイス識別情報である）デバイス鍵とトランスポートストリーム内の所定の情報とから暗号鍵を生成してローカル暗号化を実行する。このローカル暗号化が行われることによって、たとえＵＳＢバス１５２を経由して番組データが不正に取り出されても、その取り出された番組データが再生されることを防止でき、その番組データの保護が実現される。
【００３０】
不揮発性メモリ１２２は、後述する最終チャンネル情報および録画予約情報を記憶するチャンネル情報記憶手段である。ここで、チャンネル情報とは、デジタルチューナ１２０が放送信号を受信する受信チャンネルを特定するための情報であって、チャンネル番号や、受信チャンネルに対応したデジタルチューナ１２０の受信周波数等で構成されている。また、録画予約情報とは、コンピュータ１０において、番組データをＨＤＤ１１０に記録する録画を行うに先立ち予め設定された情報であって、チャンネル番号、録画開始日時、録画終了日時、録画モード等を含む情報である。
【００３１】
ホスト通信部１２３は、コンピュータ１０とデータ通信を行う通信手段であって、ローカル暗号化されたトランスポートストリームをＵＳＢバス１５２を介してコンピュータ１０のシステムメモリ１０３に送信する。また、ホスト通信部１２３はコンピュータ１０から後述するチャンネル情報記憶要求および最終チャンネル情報を受信する。
【００３２】
制御部１２４は、不揮発性メモリ１２２への最終チャンネル情報および録画予約情報の記憶およびホスト通信部１２３の行うデータ通信を制御し、記憶制御手段、送信制御手段および周波数設定手段としての機能を有している。
【００３３】
このような放送受信装置１３０との関係でみると、コンピュータ１０は、受信装置コントローラ１６１としての機能を有している。
【００３４】
受信装置コントローラ１６１および放送受信装置１３０は、ＵＳＢ2.0のHigh  Speedモード(転送最大レート480Mbps)に対応している。受信装置コントローラ１６１は、コンピュータ１０において、ＣＰＵ１０１でＴＶアプリケーション１６２が実行されることにより実現される機能的な構成要素である。
【００３５】
受信装置コントローラ１６１は、ＵＳＢバス１５２を介して放送受信装置１３０に対し、起動、停止、チャンネル設定、ストリーム転送等の指示を送る機能を有している。また、受信装置コントローラ１６１は、放送受信装置１３０に対する電源供給機能も有している。
【００３６】
放送受信装置１３０では、受信装置コントローラ１６１からのチャンネル設定要求に応じて、デジタルチューナ１２０が受信周波数の設定を行う。また、受信装置コントローラ１６１からのストリーム転送要求に応じ、デジタルチューナ１２０が受信した放送信号から得られるトランスポートストリームを暗号化部１２１によりローカル暗号化してＵＳＢバス１５２へ転送する。このとき、放送ストリーム内にＥＣＭと呼ばれるパケットが含まれている場合は、放送受信装置１３０は、ＥＣＭパケット内のデータを図示しないＩＣカードへ送信し、ＩＣカードからスクランブル鍵を取得する。
【００３７】
そして、放送受信装置１３０は、スクランブル鍵で番組データのスクランブルを解除し、ローカル暗号化してＵＳＢバス１５２へ転送する。放送ストリーム内にＥＣＭパケットが含まれていない場合は、番組データがスクランブル化されていないため、ＩＣカードとの通信を行わずにトランスポートストリームをそのままローカル暗号化してＵＳＢバス１５２へ転送する。
【００３８】
そして、放送受信装置１３０は、図４に示すように、コンピュータ１０から取り外してコンピュータ１０とは別のコンピュータ１７０に接続することもできる。放送受信装置１３０は、コンピュータ１７０に接続されるとコンピュータ１７０の受信装置コントローラ１７１からのチャンネル設定要求等の受信および受信装置コントローラ１７１へのトランスポートストリームの送信をホスト通信部１２３によって行う。なお、受信装置コントローラ１７１、ＴＶアプリケーション１７２は、コンピュータ１７０上に実装されていて、それぞれの機能は受信装置コントローラ１６１、ＴＶアプリケーション１６２と同様である。
【００３９】
次に、コンピュータ１０における録画予約を行うときの動作手順について、図５に示すフローチャートを参照して説明する。
【００４０】
ユーザはＴＶアプリケーション１６２を起動した上で録画予約を行う。この場合、ユーザはＬＣＤ１７に表示されている番組表から、図示しないリモートコントローラを操作して録画したい番組を選択する。または、ユーザは録画開始日時、録画終了日時および録画しようとする番組の放送されるチャンネルの番号をリモートコントローラを操作して入力することにより、録画予約を行う。これらの動作が行われると、ＴＶアプリケーション１６２にしたがい録画予約情報が生成される。
【００４１】
このとき、ＴＶアプリケーション１６２は受信装置コントローラ１６１を作動させ、受信装置コントローラ１６１が放送受信装置１３０に対して、上述の動作で生成される録画予約情報とともに、録画予約情報の記憶要求を送信する。
【００４２】
一方、放送受信装置１３０では、ホスト通信部１２３が録画予約情報を受信する（Ｓ１）。続いて、ホスト通信部１２３が録画予約情報の記憶要求を受信すると（Ｓ２）、制御部１２４が記憶制御手段としての動作を行い、受信装置コントローラ１６１から受信した録画予約情報を不揮発性メモリ１２２に記憶させて録画予約情報の蓄積を行う（Ｓ３）。
【００４３】
次に、ＴＶアプリケーション１６２を終了させるときの動作手順について、図６のフローチャートを参照して説明する。
【００４４】
ユーザがＬＣＤ１７に表示されている「終了ボタン」をリモートコントローラを操作するなどして選択するとＴＶアプリケーション１６２が終了処理を開始する。すると、ＴＶアプリケーション１６２は受信装置コントローラ１６１を作動させ、受信装置コントローラ１６１が放送受信装置１３０に対して、停止指示を送信する。すると、放送受信装置１３０では、ホスト通信部１２３が停止指示を受信して、デジタルチューナ１２０が放送信号の受信を終了する（Ｓ１０）。また、受信装置コントローラ１６１は、停止指示を送信したとき、すなわち、デジタルチューナ１２０が放送信号の受信を終了するときに、デジタルチューナ１２０が選択していた受信チャンネルを示す最終チャンネル情報と、最終チャンネル情報を記憶させるためのチャンネル情報記憶要求とを送信する。放送受信装置１３０では、ホスト通信部１２３が最終チャンネル情報およびチャンネル情報記憶要求を受信する（Ｓ１１）。すると、受信したチャンネル情報記憶要求にしたがい制御部１２４が最終チャンネル情報を不揮発性メモリ１２２に記憶させる（Ｓ１２）。
【００４５】
この場合、制御部１２４は、チャンネル情報記憶要求とともにＴＶアプリケーション１６２からホスト通信部１２３が受信した最終チャンネル情報を不揮発性メモリ１２２に記憶させることができるが、停止指示またはチャンネル情報記憶要求を受信したときに、デジタルチューナ１２０に設定されていたチャンネル情報を最終チャンネル情報として不揮発性メモリ１２２に記憶させてもよい。
【００４６】
そして、ＴＶアプリケーション１６２が終了すると、受信装置コントローラ１６１は放送受信装置１３０への電源供給を停止する。すると、放送受信装置１３０は停止状態となり、コンピュータ１０から取り外し可能となる。しかしながら、放送受信装置１３０は、コンピュータ１０から取り外されたときでも、前述の動作を行ったことにより、録画予約情報および最終チャンネル情報が不揮発性メモリ１２２に記憶されており、これらの情報が消去されることなく保持されている。
【００４７】
次に、放送受信装置１３０がコンピュータ１７０上で作動する場合の動作手順について、図７のフローチャートを参照して説明する。
【００４８】
まず、ユーザが放送受信装置１３０をコンピュータ１７０に接続する。すると、コンピュータ１７０の受信装置コントローラ１７１がプラグアンドプレイにより、コンピュータ１７０に放送受信装置１３０が接続されたことを認識する。そして、受信装置コントローラ１７１が放送受信装置１３０への電源供給を開始するとともに、ＴＶアプリケーション１７２を起動する。
【００４９】
一方、放送受信装置１３０は受信装置コントローラ１７１から電源供給を受けると動作を開始する（Ｓ２０）。続いて、放送受信装置１３０は制御部１２４が不揮発性メモリ１２２に記憶されている最終チャンネル情報と録画予約情報を読み出し、ホスト通信部１２３を作動させ、ホスト通信部１２３が最終チャンネル情報と録画予約情報を受信装置コントローラ１７１に送信するように制御する（Ｓ２１）。さらに、制御部１２４は、選択情報設定手段としての動作を行い、不揮発性メモリ１２２に記憶されている最終チャンネル情報に基づいて、デジタルチューナ１２０の受信周波数を設定する（Ｓ２２）。受信周波数は後述するＰＩＤとともにデジタルチューナ１２０が放送信号を選択するための放送信号選択情報に含まれている。
【００５０】
このようにすることにより、コンピュータ１０でユーザが最後に視聴していた番組の受信チャンネルを復元した上でコンピュータ１７０に引き継ぎ、コンピュータ１７０で元の番組を視聴するための受信周波数を設定することができる。
【００５１】
そして、デジタルチューナ１２０がコンピュータ１０で最後に視聴していた番組のチャンネルと同じチャンネルの放送信号の受信を開始してトランスポートストリームの転送を開始する（Ｓ２３）。放送受信装置１３０は、デジタルチューナ１２０が受信した放送信号から得られるトランスポートストリームを暗号化部１２１によりローカル暗号化した上で、ホスト通信部１２３により受信装置コントローラ１７１に送信する。
【００５２】
一方、ＴＶアプリケーション１７２は、放送受信装置１３０から、受信装置コントローラ１７１により受信した最終チャンネル情報と録画予約情報を取得する。また、ＴＶアプリケーション１７２は、放送受信装置１３０から受信した最終チャンネル情報に含まれるチャンネル番号をＬＣＤ１７に出力し、さらに、放送受信装置１３０から受信装置コントローラ１７１によって受信したトランスポートストリームを復号化し、番組コンテンツをＬＣＤ１７に出力する。こうして、コンピュータ１７０により番組の視聴が可能になる。
【００５３】
また、ＴＶアプリケーション１７２は放送受信装置１３０から受信した録画予約情報をコンピュータ１７０内部のＲＡＭ等のメモリに保持する。
【００５４】
ＴＶアプリケーション１７２は、時刻がメモリに保持した録画予約情報に合致した録画開始時刻になったとき、受信装置コントローラ１７１を作動させて、放送受信装置１３０に対し、録画予約情報に含まれるチャンネル情報と共に、録画のためのチャンネル設定要求を送信する。放送受信装置１３０では、その受信したチャンネル設定要求にしたがい制御部１２４がデジタルチューナ１２０の受信周波数を設定する。そして、設定された受信周波数の放送信号をデジタルチューナ１２０が受信してトランスポートストリームを出力し、それを暗号化部１２１によりローカル暗号化した上で、ホスト通信部１２３が受信装置コントローラ１７１に送信する。ＴＶアプリケーション１７２は、受信装置コントローラ１７１により放送受信装置１３０から受信したトランスポートストリームを復号化し、再度ローカル暗号化を行ったうえで記憶装置（ＨＤＤ１１０）に記憶させる。
【００５５】
以上のように、コンピュータ１０は、前述のような動作を行うため、ユーザがコンピュータ１０において最後に選択していたチャンネルをユーザがリモートコントローラ等の操作を行うことなく別のコンピュータ１７０に引き継ぐことができる。すなわち、コンピュータ１０は、最後に選択していたチャンネルを放送受信装置１３０を介してコンピュータ１７０に引き継ぐことができるようになっている。
【００５６】
また、コンピュータ１０上で設定した録画予約情報をユーザがリモートコントローラを用いて再度録画予約の設定を行うことなくコンピュータ１７０に引き継ぐこともでき、その引き継いだ録画予約情報にしたがい放送受信装置１３０が番組データを生成してコンピュータ１７０で録画することができる。
【００５７】
しかも、チャンネル情報および録画予約情報を引き継ぐために、コンピュータ１０とコンピュータ１７０とで赤外線等を介してのデータ通信を要さないので、赤外線等で通信可能な範囲内でなくてもチャンネル情報および録画予約情報を引き継ぐことができる。
【００５８】
（第２の実施の形態）
第２の実施の形態にかかる放送受信装置１４０は、図８に示すような構成を有している。放送受信装置１４０は、デジタルチューナ１２０が受信した放送信号から得られるトランスポートストリームのうち、指定したＰＩＤ（パケットＩＤ，パケット識別情報ともいう）だけを受信装置コントローラ１６１または受信装置コントローラ１７１に転送する機能をもつＰＩＤフィルタ１２５を有している。その他の構成要素は第１の実施形態に係る放送受信装置１３０と同様の構成を有している。
【００５９】
放送受信装置１４０は、次のようにしてコンピュータ１０で作動する。ユーザによるチャンネル操作が行われたとき、ＴＶアプリケーション１６２は、受信装置コントローラ１６１によって、放送受信装置１４０に対してチャンネル設定要求に続き、ＰＩＤフィルタの設定要求を送信する。放送受信装置１４０は、ホスト通信部１２３によって受信したＰＩＤフィルタの設定要求に含まれるＰＩＤをＰＩＤフィルタ１２５に設定する。
【００６０】
ＴＶアプリケーション１６２の終了時の動作手順は、第１の実施形態の場合とほぼ同様であるが、第１の実施形態の場合と異なる点を以下に説明する。
【００６１】
ＴＶアプリケーション１６２が終了するときに、放送受信装置１４０は第１の実施形態の場合と同様、受信装置コントローラ１６１からチャンネル情報記憶要求を受信する。このとき、放送受信装置１４０は、受信装置コントローラ１６１から受信したチャンネル情報と共に、ＰＩＤフィルタ１２５に設定しているＰＩＤを不揮発性メモリ１２２に記憶させる。
【００６２】
そして、放送受信装置１４０をコンピュータ１７０で起動するときの動作手順は、第１の実施形態の場合とほぼ同様であるが、第１の実施形態の場合と異なる点を以下に説明する。
【００６３】
放送受信装置１４０が動作を開始すると、受信チャンネルを復元するときに、制御部１２４が不揮発性メモリ１２２に記憶されていた最終チャンネル情報に基づき、デジタルチューナ１２０の受信周波数を設定すると共に、不揮発性メモリ１２２に記憶されていたＰＩＤにしたがい、ＰＩＤフィルタ１２５のＰＩＤを設定する。
【００６４】
放送コンテンツを構成するトランスポートストリームのＰＩＤが、コンピュータ１０で受信したときの放送コンテンツを構成するトランスポートストリームのＰＩＤから変更されていなければ、ＴＶアプリケーション１７２が放送受信装置１４０に対してＰＩＤフィルタの設定要求を送信することなく、ＴＶアプリケーション１７２は放送受信装置１４０から放送コンテンツを構成するトランスポートストリームを受信して、ＬＣＤ１７に映像を表示させることができる。
【００６５】
もし、放送コンテンツを構成するトランスポートストリームのＰＩＤが、コンピュータ１０で受信したときの放送コンテンツを構成するトランスポートストリームのＰＩＤから変更されていれば、ＴＶアプリケーション１７２はトランスポートストリームに含まれるＰＭＴ(Program  Map  Table)から放送コンテンツを構成するトランスポートストリームのＰＩＤを取得し、放送受信装置１４０に対してＰＩＤフィルタの設定要求を送信すればよい。
【００６６】
本発明は、上述の第１の実施形態及び第２の実施形態に限定されるものではない。例えば、放送受信装置１３０を接続する汎用バスは、ＵＳＢに限定されず、プラグアンドプレイに対応したバスであれば、他のバスを用いてもよい。
【００６７】
前述の実施形態では、コンピュータ１０に外付けされる形態の放送受信装置１３０を例にとって説明したが、本実施の形態は、コンピュータ１０に内蔵されている放送受信装置についても適用することができる。
【００６８】
コンピュータ１０は本実施の形態では、例えば携帯可能なノート型のコンピュータを例にとって説明しているが、本実施の形態は、ノート型のコンピュータに限定されるものではない。
【００６９】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００７０】
【図１】本発明に係る情報処理装置の一実施形態であるコンピュータの外観を示す斜視図である。
【図２】図１のコンピュータの内部システム構成を示すブロック図である。
【図３】第１の実施形態に係る放送受信装置と、コンピュータとの構成を示すブロック図である。
【図４】同じく、放送受信装置と、別のコンピュータとの構成を示すブロック図である。
【図５】録画予約情報を記憶するときの放送受信装置の動作手順を示すフローチャートである。
【図６】ＴＶアプリケーションを終了させるときの放送受信装置の動作手順を示すフローチャートである。
【図７】放送受信装置が別のコンピュータ上で作動する場合の動作手順を示すフローチャートである。
【図８】第２の実施形態に係る放送受信装置と、コンピュータとの構成を示すブロック図である。
【符号の説明】
【００７１】
１０，１７０…コンピュータ（情報処理装置）、１２０…デジタルチューナ、１２２…不揮発性メモリ、１２３…ホスト通信部、１２４…制御部、１３０，１４０…放送受信装置、１６１，１７１…受信装置コントローラ、１６２，１７２…ＴＶアプリケーション。
【図１】
2009232401.tif 000003
【図２】
2009232401.tif 000004
【図３】
2009232401.tif 000005
【図４】
2009232401.tif 000006
【図５】
2009232401.tif 000007
【図６】
2009232401.tif 000008
【図７】
2009232401.tif 000009
【図８】
2009232401.tif 000010